(57)【要約】  電子装置に挿脱可能な複数の発熱装置の冷却装置であり、発熱装置の両側面に位置するように電子装置に剛体製フレームを設け、剛体製フレームの両側面には冷却媒体が内部循環する可撓性バッグを取り付け、電子装置への発熱装置の挿入側を前側として、剛体製フレームの前後方向に押圧シートを設ける。押圧シートの後端側は剛体製フレームに固着し、中間部は可撓性バッグに密着させ、他端は剛体製フレームの上を前後方向に移動可能な回転軸に巻取り可能に取り付ける。一方、発熱装置の前端部には、発熱装置の電子装置への挿脱時に回転軸を回転させて押圧シートを巻き取らせたり解いたりする回転軸の駆動機構を設ける。押圧シートにより発熱装置の電子装置への挿脱時に可撓性バッグ内の冷却媒体がスムーズに移動する。
2013140531.tif 000002
【特許請求の範囲】
【請求項１】
電子装置に挿脱可能な複数の発熱装置の冷却装置であって、
前記発熱装置の両側面に位置するように前記電子装置に設けられた剛体製フレームと、
前記剛体製フレームの、前記発熱装置の側面に対向する面に取り付けられ、冷却媒体が内部を循環する可撓性袋状体と、
前記電子装置への前記発熱装置の挿入側を前側として、一端が前記剛体製フレームの後端側に固着され、中間部が前記袋状体を覆い、他端が前記剛体製フレームの上を前後方向に移動可能な回転軸に取り付けられ、前記回転軸の移動により前記回転軸に巻き取られる押圧シートと、
前記発熱装置の前端部に設けられて、前記発熱装置の挿脱時に前記回転軸を回転させる回転軸の駆動機構とを備えることを特徴とする発熱装置の冷却装置。
【請求項２】
請求項１に記載の発熱装置の冷却装置であって、
前記回転軸が、前記押圧シートの巻取部と、前記巻取部より太い直径を備え、前記回転軸の駆動機構に駆動されて前記剛体製フレームの上を回転移動するローラ部とを備え、
前記回転軸の駆動機構は前記発熱装置に設けられた凹部内に設けられ、前記ローラ部に当接して回転させる第１のローラと、前記第１のローラから前記ローラ部の直径以上の距離を隔てて設けられた前記第１のローラよりも直径の大きい第２のローラ、及び前記第１と第２のローラを前記発熱装置に対して出没させる出没機構とを備えることを特徴とする発熱装置の冷却装置。
【請求項３】
請求項２に記載の発熱装置の冷却装置であって、
前記出没機構が、前記第１と第２のローラの回転軸が取り付けられる昇降板と、
前記昇降板と前記凹部との間に設けられた圧縮ばねとから構成されることを特徴とする発熱装置の冷却装置。
【請求項４】
請求項２又は３に記載の発熱装置の冷却装置であって、
前記第２のローラの直径が前記ローラ部の直径に等しく、
前記発熱装置が前記電子装置に挿入に伴って、前記第２のローラより直径の小さい前記第１のローラによって前記ローラ部が回転させられて、前記押圧シートが前記袋状体を押圧しながら前記巻取部に巻き取られることを特徴とする発熱装置の冷却装置。
【請求項５】
請求項４に記載の発熱装置の冷却装置であって、
前記剛体製フレームの前後方向に垂直な方向の両端部には前後方向に延長された溝が形成されており、
前記溝には前記溝に沿って前後方向にスライドするスライダが挿入されており、
前記回転軸の両端部は前記スライダに回転自在に軸支されており、
前記溝の後端部の位置は、前記スライダが前記溝の後端部まで移動した状態で、前記発熱装置には更に挿入可能な挿入代が残っている位置であることを特徴とする発熱装置の冷却装置。
【請求項６】
請求項５に記載の発熱装置の冷却装置であって、
前記発熱装置の全長は、前記回転軸の移動が終了した後の前記電子装置への前記発熱装置の挿入で、前記回転軸の駆動機構が前記凹部内に没入して、前記第１のローラが前記ローラ部を乗り越えた時に、前記電子装置への挿入が完了する長さであることを特徴とする発熱装置の冷却装置。
【請求項７】
請求項５又は６に記載の発熱装置の冷却装置であって、
前記発熱装置の前記電子装置からの抜き出しに伴って、前記第１のローラによって前記ローラ部が回転させられて、前記押圧シートが前記袋状体を押圧しながら前記巻取部から巻き解かれ、
前記溝の前端部の位置は、前記スライダが前記溝の前端部まで移動した状態で、前記回転軸の駆動機構の前記第２のローラが前記電子装置の外に出た位置であることを特徴とする発熱装置の冷却装置。
【請求項８】
請求項１から７の何れか１項に記載の発熱装置の冷却装置であって、
前記可撓性袋状体の内部には前後方向の端部から交互に突出する仕切壁が設けられており、前記冷却媒体は前記仕切壁によって形成された蛇行路に沿って、前記可撓性袋状体の内部を循環することを特徴とする発熱装置の冷却装置。
【請求項９】
請求項８に記載の発熱装置の冷却装置であって、
前記蛇行路の出口部は、配管によって第１のマニフォールドの複数の入口の内の１つに接続され、
前記蛇行路の入口部は、配管によって第２のマニフォールドの複数の出口の内の１つに接続され、
前記第１のマニフォールドの出口と前記第２のマニフォールドの入口の間には、前記冷却媒体を冷却する熱交換器と前記冷却媒体を移動させるポンプとが設けられていることを特徴とする発熱装置の冷却装置。
【請求項１０】
請求項９に記載の発熱装置の冷却装置であって、
前記電子装置には、前記剛体製フレームを備えた前記発熱装置の搭載部と、前記発熱装置の制御部及び電源部と、前記電子装置の後ろ側に設けられて前記発熱装置の搭載部側から冷却風を吸い込んで後ろ側に排出するブロワファンとが設けられており、
前記熱交換器は、前記ブロワファンの近傍に設けられていることを特徴とする発熱装置の冷却装置。
【請求項１１】
請求項１０に記載の発熱装置の冷却装置であって、
前記第１と第２のマニフォールドの出口と入口を接続する、前記熱交換器と前記ポンプとを備える冷却経路が２系統設けられていることを特徴とする発熱装置の冷却装置。
【発明の詳細な説明】
【技術分野】
【０００１】
本出願は発熱装置の冷却装置に関する。
【背景技術】
【０００２】
従来、電子装置としてハードディスク装置のような記憶装置を多数収容した大容量記憶装置が知られている。このような大容量記憶装置は、図１Ａ、図１Ｂ及び図１Ｃに示す関連技術のように、大容量記憶装置１の筐体の一端にハードディスク装置２が多数並んで搭載されたものである。大容量記憶装置１の筐体の中央部には制御部３と電源部４があり、大容量記憶装置１の筐体の他端には空冷用のブロワファン５が備えられている。ブロワファン５はハードディスク装置２の搭載部側からの冷却風を上側から吸い込んで、後ろ側に排出するタイプである。ハードディスク装置２と制御部３及び電源部４の間には仕切壁であるバックプレーン６が設けられている。また、制御部３及び電源部４は２系統あり、冗長構成となっている。【０００３】
このような構造の大容量記憶装置１では、ハードディスク装置２を冷却するための必要風量が大きく、ブロワファン５の送風容量が大きくなってファン騒音が大きい上に、ブロワファン５の消費電力が大きかった。そこで、空冷に代わって発熱する電子部品を水冷の冷却装置によって冷却しようとする提案がある（特許文献１参照）。特許文献１に記載のプリント基板の水冷装置では、取付金具で水冷ヘッドをプリント基板に着脱可能に装着している。また、水冷ヘッドはプリント基板上の実装部品の外形に倣って変形する柔軟性を持つ袋状をなし、内部に冷媒が循環する構造となっている。更に、水冷ヘッドは配管でサーモトランスファーユニットに接続されており、水冷ヘッドを循環した冷却水はサーモトランスファーユニットで冷却されて水冷ヘッドに戻ってくる。
【先行技術文献】
【特許文献】
【０００４】
【特許文献１】特開平５−２６７８７５号公報
【発明の概要】
【発明が解決しようとする課題】
【０００５】
しかしながら、特許文献１に記載のプリント基板の水冷装置は、単一のプリント基板にネジ止めする取付金具によって冷却ヘッドがプリント基板の上に取り付けられるものであり、図１Ａ〜１Ｃに示した記憶装置を多数収容した大容量記憶装置に適用できない。即ち、特許文献１に記載のプリント基板の水冷装置は、プリント基板に対して冷却ヘッドが垂直方向に移動するものであり、固定された冷却ヘッドに対してプリント基板を平行な方向に移動させて挿脱する大容量記憶装置には適用できない。【０００６】
１つの側面では、本発明は、固定された冷却ヘッドに対して複数のプリント基板を平行な方向に移動させて挿脱する大容量記憶装置に適用可能な発熱装置の冷却装置を提供することを目的としている。
また、他の側面では、発明は、複数のプリント基板の１つを交換しても、他のプリント基板に対しては冷却装置が機能する活性交換が可能な発熱装置の冷却装置を提供することを目的としている。
【課題を解決するための手段】
【０００７】
前記目的を達成する本出願の発熱装置の冷却装置は、電子装置に挿脱可能な複数の発熱装置の冷却装置であって、発熱装置の両側面に位置するように電子装置に設けられた剛体製フレームと、剛体製フレームの、発熱装置の側面に対向する面に取り付けられ、冷却媒体が内部循環する可撓性袋状体と、電子装置への発熱装置の挿入側を前側として、一端が剛体製フレームの後端側に固着され、中間部が袋状体を覆い、他端が剛体製フレームの上を前後方向に移動可能な回転軸に取り付けられ、回転軸の移動により回転軸に巻き取られる押圧シートと、発熱装置の前端部に設けられて、発熱装置の挿脱時に回転軸を回転させる回転軸の駆動機構とを備えることを特徴とするものである。【０００８】
この場合、回転軸は、押圧シートの巻取部と、巻取部より太い直径を備えて回転軸の駆動機構に駆動されて剛体製フレームの上を回転移動するローラ部とを備え、回転軸の駆動機構は発熱装置に設けられた凹部内に設けられ、ローラ部に当接して回転させる第１のローラと、第１のローラからローラ部の直径以上の距離を隔てて設けられた第１のローラよりも直径の大きい第２ローラ、及び第１と第２のローラを発熱装置に対して出没させる出没機構とを備えて形成することができる。【０００９】
また、出没機構は、第１と第２のローラの回転軸が取り付けられる昇降板と、昇降板と凹部との間に設けられた圧縮ばねとから構成し、第２のローラの直径をローラ部の直径に等しくし、発熱装置が電子装置に挿入に伴って、第２のローラより直径の小さい第１のローラによってローラ部が回転させられて、押圧シートが袋状体を押圧しながら巻取部に巻き取られるようにすることができる。【００１０】
更に、剛体製フレームの前後方向に垂直な方向の両端部には前後方向に延長した溝を形成し、溝には溝に沿って前後方向にスライドするスライダを挿入し、回転軸の両端部はスライダに回転自在に軸支させ、溝の後端部の位置は、スライダが溝の後端部まで移動した状態で、発熱装置には更に挿入可能な挿入代が残っている位置とすることが可能である。また、発熱装置の全長は、回転軸の移動が終了した後の電子装置への発熱装置の挿入で、回転軸の駆動機構が凹部内に没入して、第１のローラがローラ部を乗り越えた時に、電子装置への挿入が終了する長さとすることができる。
【図面の簡単な説明】
【００１１】
【図１Ａ】関連技術のハードディスクの冷却装置の平面図である。
【図１Ｂ】図１Ａに示したハードディスクの冷却装置の背面図である。
【図１Ｃ】図１Ａに示したハードディスクの冷却装置の側面図である。
【図２Ａ】本出願の発熱装置の冷却装置を備える、ハードディスク装置を挿脱可能に収容する大容量記憶装置の平面図である。
【図２Ｂ】図２Ａに示した大容量記憶装置の背面図である。
【図２Ｃ】図２Ａに示した大容量記憶装置の側面図である。
【図３】図２Ａから図２Ｃに示した本出願の発熱装置の冷却装置の構造を示すブロック回路図である。
【図４Ａ】本出願の発熱装置の冷却装置に用いられるクーリングプレートの平面図である。
【図４Ｂ】図４Ａに示したクーリングプレートの側面図である。
【図４Ｃ】図４Ａに示したクーリングプレートの正面図である。
【図４Ｄ】図３に示したクーリングプレートの内部流路の構成とマニフォールドとの接続を示す斜視図である。
【図５】本出願の一実施例のクーリングプレートの斜視図である。
【図６Ａ】図５に示したクーリングプレートの側面図である。
【図６Ｂ】図６Ａに示した状態から押圧シートが巻き取られた状態を示すクーリングプレートの側面図である。
【図６Ｃ】図６Ｂに示した状態から押圧シートが完全に巻き取られた状態を示すクーリングプレートの側面図である。
【図７Ａ】本出願の発熱装置の冷却装置の発熱装置に設けられた押圧シート駆動機構の構成を示す部分正面図である。
【図７Ｂ】図７Ａに示した押圧シート駆動機構の構成の構成を示す押圧シート駆動機構の組立斜視図である。
【図７Ｃ】図７Ａに示した押圧シート駆動機構の退避動作を示す部分正面図である。
【図８Ａ】本出願の発熱装置の冷却装置における発熱装置の挿入時の動作を、段階的に説明する説明図である。
【図８Ｂ】本出願の発熱装置の冷却装置における発熱装置の挿入時の動作を、段階的に説明する説明図である。
【図８Ｃ】本出願の発熱装置の冷却装置における発熱装置の挿入時の動作を、段階的に説明する説明図である。
【図８Ｄ】本出願の発熱装置の冷却装置における発熱装置の挿入時の動作を、段階的に説明する説明図である。
【図８Ｅ】本出願の発熱装置の冷却装置における発熱装置の挿入時の動作を、段階的に説明する説明図である。
【図９Ａ】本出願の発熱装置の冷却装置から発熱装置を抜き出す時の動作を、段階的に説明する説明図である。
【図９Ｂ】本出願の発熱装置の冷却装置から発熱装置を抜き出す時の動作を、段階的に説明する説明図である。
【図９Ｃ】本出願の発熱装置の冷却装置から発熱装置を抜き出す時の動作を、段階的に説明する説明図である。
【図９Ｄ】本出願の発熱装置の冷却装置から発熱装置を抜き出す時の動作を、段階的に説明する説明図である。
【図９Ｅ】本出願の発熱装置の冷却装置から発熱装置を抜き出す時の動作を、段階的に説明する説明図である。
【図１０Ａ】図８Ｂに示したＸ部の部分拡大図である。
【図１０Ｂ】図９Ｂに示したＹ部の部分拡大図である。
【発明を実施するための形態】
【００１２】
以下、図面を用いて本出願の好適な実施例を説明する。なお、電子装置としては図１Ａから図１Ｃで説明した大容量記憶装置１と同じ構成部材には同じ符号を付して説明する。なお、以下に説明する実施例では、電子装置を大容量記憶装置とし、発熱装置としてハードディスク装置を説明するが、電子装置や発熱装置はこれらに限定されるものではなく、装置の筐体内に発熱部材を備えるものであれば何でも良い。また、大容量記憶装置へのハードディスク装置の挿入側を前側として説明する。
【００１３】
図２Ａは本出願の発熱装置の冷却装置４０を備えた大容量記憶装置１の一実施例の平面図である。大容量記憶装置１は複数のハードディスク装置２を前端部に挿脱可能に収容する。図２Ｂは図２Ａに示した大容量記憶装置１の背面図、図２Ｃは図２Ａに示した大容量記憶装置１の側面図である。大容量記憶装置１の筐体の、バックプレーン６より後ろ側の部分には制御部３と電源部４があり、大容量記憶装置１の筐体の後端部には空冷用のブロワファン５が備えられている点は、図１Ａから図１Ｃで説明した大容量記憶装置１と同じである。この実施例の大容量記憶装置１にも制御部３及び電源部４は２系統あり、冗長構成となっている。冷却風は吸気部１７から大容量記憶装置１の筐体内に吸い込まれる。
【００１４】
本出願の大容量記憶装置１が図１Ａから図１Ｃで説明した大容量記憶装置１と異なる点は、ハードディスク装置２を冷却するための発熱装置の冷却装置４０が２系統設けられている点である。２系統の発熱装置の冷却装置４０の冷却経路は、ハードディスク装置２の隙間に挿入されるクーリングプレート１０、第１と第２のマニフォールド１１，１２、熱交換機１３、ポンプ１４及びこれらを接続して冷却媒体を移動させる配管１５をそれぞれ備える。第１のマニフォールド１１は配管１５でクーリングプレート１０に接続しており、多数のクーリングプレート１０からの熱交換後の冷却媒体を合流させて配管１５で熱交換機１３に送る。熱交換器１３で冷却された冷却媒体はポンプ１４によって第２のマニフォールド１２に送られ、ここで各クーリングプレート１０に分散される。
【００１５】
図３は、図３は図２Ａから図２Ｃに示した本出願の発熱装置の冷却装置の一実施例の構造を示すブロック回路図である。前述のように、多数のクーリングプレート１０は配管１５で第１と第２のマニフォールド１１，１２に接続されている。この実施例では、熱交換器１３と熱交換機１３に接続するポンプ１４が２つある制御部３にそれぞれ搭載されている。第１のマニフォールド１１の出力はコネクタ１６を介して制御部３にある熱交換器１３に接続され、ポンプ１４の出力がコネクタ１６を介してそれぞれ第１と第２のマニフォールド１１，１２の入口に接続されている。従って、この実施例では、熱交換器１３とポンプ１４の交換の際には、コネクタ１６で切り離して制御部３毎交換する。同様に、制御部３の交換時にも熱交換器１３とポンプ１４は交換される。
【００１６】
図４Ａから図４Ｄは本出願の発熱装置の冷却装置に用いられるクーリングプレート１０の構成を説明するものである。図４Ａから図４Ｃに示すクーリングプレート１０は、剛体製フレーム２０と、剛体製フレーム２０のハードディスク装置に対向する両側面に取り付けられる可撓性を備える袋状体である可撓性バッグ２１を備えている。以後、剛体製フレーム２０は単にフレーム２０と記す。但し、ハードディスク搭載部の最も右端と左端に位置するフレーム２０には可撓性バッグ２１は片面にしか設けられていない。フレーム２０は金属で形成することができ、可撓性バッグ２１は熱導電性プラスチックで形成することができる。可撓性バッグ２１は隣にハードディスク装置が挿入されていない時には、中央部が膨らんだ形状をしているが、隣にハードディスク装置が挿入されると、均一の厚さに変形する。フレーム２０の側面は、ハードディスク装置の側面と同等の面積を備えており、フレーム２０に可撓性バッグ２１（均等な厚さになった状態）を加えた厚さは、電子装置に搭載されるハードディスク装置の隙間に入る厚さである。可撓性バッグ２１の中には冷却媒体として水などの液体が図示していない入口部から入れられ、可撓性バッグ２１の中を循環して図示していない出口部から排出される。
【００１７】
図４Ｄは可撓性バッグ２１の内部構成及び可撓性バッグ２１への冷却媒体の入口部と出口部の一実施例を示すものである。可撓性バッグ２１の内部には、可撓性バッグ２１の前後方向の端部から交互に突出する仕切壁２２が設けられており、冷却媒体は仕切壁２２によって形成された蛇行路に沿って、可撓性バッグ２１の内部を蛇行しながら循環する。可撓性バッグ２１の冷却媒体の出口部２１Ａは、配管１５によって第１のマニフォールド１１に接続されており、複数の可撓性バッグ２１からの冷却媒体は第１のマニフォールド１１で集合されて図３で説明した熱交換機１３に向かう。また、可撓性バッグ２１の冷却媒体の入口部２１Ｂは、配管１５によって第２のマニフォールド１２に接続されており、熱交換機１３で冷却された冷却媒体が第２のマニフォールド１２で分岐されて冷却媒体の入口部２１Ｂから可撓性バッグ２１に流入する。
【００１８】
図５は、図４Ａから図４Ｄで説明したクーリングプレート１０にある可撓性バッグ２１の上に押圧シート２３が取り付けられた本出願の一実施例のクーリングプレート１０を示すものである。なお、可撓性バッグ２１への冷却媒体の入口部と可撓性バッグ２１からの冷却媒体の出口部については図示を省略してある。フレーム２０の上に可撓性バッグ２１だけが設けられている場合は、クーリングプレート１０に沿ってハードディスク装置が挿入された時に、可撓性バッグ２１内の冷却媒体がハードディスク装置の前端部に押されて可撓性バッグ２１の後端側に移動する。すると、可撓性バッグ２１の後端側が移動した冷却媒体によって膨張し、可撓性バッグ２１が破損する虞がある。
【００１９】
そこで、本出願のクーリングプレート１０では、ハードディスク装置が挿入された時に冷却媒体を可撓性バッグ２１の前端側に移動させる押圧シート２３を、可撓性バッグ２１の上側に設けている。クーリングプレート１０の前後方向に垂直な方向（以後縦方向と言う）の押圧シート２３の幅は、可撓性バッグ２１の幅よりも短い。なお、説明を分かり易くするために、図５に示した可撓性バッグ２１はその中央部が前後方向にのみ直線的に盛り上がっているように描いてある。
【００２０】
押圧シート２３の一端はフレーム２０の後端部に固着されており、他端は回転軸２４の巻取部２４Ａに固着されており、中間部が可撓性バッグ２１を覆って可撓性バッグ２１に密着している。回転軸２４は巻取部２４Ａとこれより直径の大きい２つのローラ部２４Ｂを備えている。２つのローラ部２４Ｂの間の距離は、押圧シート２３の幅よりも僅かに大きくなっている。フレーム２０の縦方向の両端部には、前後方向に延びる溝２５が設けられており、この溝２５にはスライダ２６が溝２５内を摺動自在に取り付けられている。
【００２１】
そして、２つのスライダ２６に、ローラ部２４Ｂの外側の回転軸２４が回転自在に軸支されている。従って、回転軸２４はフレーム２０の上を回転移動可能である。溝２５の後端部２５Ａは、可撓性バッグ２１の後端部側の端部よりも前側にあり、溝２５の前端部２５Ｂにはスライダ２６をこの位置で係止する図示しないロック機構が設けられている。一端がフレーム２０の後端部に固着され、他端が回転軸２４の巻取部２４Ａに固着された押圧シート２３は、スライダ２６が溝２５の前端部２５Ｂに係止されている状態では、可撓性バッグ２１の外側の面に密着している。また、溝２５の前端部２５Ｂによるスライダ２６の係止は、ハードディスク装置がクーリングプレート１０の隣に挿入されて回転軸２４が後端部側に移動する時には簡単に外れる程度のものである。
【００２２】
図６Ａは図５に示したクーリングプレート１０を側面から見たものである。この状態では、スライダ２６が溝２５の前端部２５Ｂに係止されており、押圧シート２３が可撓性バッグ２１の外側の面に密着している。この状態で、クーリングプレート１０の隣にハードディスク装置が挿入されると、図６Ｂに示すように、回転軸２４がハードディスク装置に押されて回転し、回転軸２４の巻取部２４Ａに押圧シート２３が巻き取られていく。ハードディスク装置によって回転軸２４が駆動される機構については後述する。回転軸２４の巻取部２４Ａに押圧シート２３が巻き取られていくと、可撓性バッグ２１の外側の面が押圧シート２３によって面で押圧され、可撓性バッグ２１内の冷却媒体が後端部側から前端部側にスムーズに移動する。よって、ハードディスク装置が挿入された時に、可撓性バッグ２１内の冷却媒体が後端部側に偏ることがない。図６Ｃは、スライダ２６が溝２５の後端部２５Ａに達して、図６Ｂに示した押圧シート２３が完全に巻き取られた状態を示すものである。この状態では押圧シート２３は可撓性バッグ２１に作用していない。
【００２３】
ここで、回転軸２４を図６Ａから図６Ｃに示したように移動させる、ハードディスク装置の前端部に設けられた回転軸の駆動機構３０について図７Ａから図７Ｃを用いて説明する。図７Ａ，７Ｂに示すように、回転軸の駆動機構３０は、ハードディスク装置２の前端部に設けられた凹部３５に取り付けられる。回転軸の駆動機構３０は、第１のローラ３１、第２のローラ３２、昇降板３３及びばね３４を備えている。昇降板３３とばね３４は、第１と第２のローラ３１，３２の出没機構を形成する。第１のローラ３１の直径は第２のローラ３２の直径よりも小さく、第１のローラ３１の回転軸３１Ａが昇降板３３の前端側に取り付けられる。また、第１と第２のローラ３１，３２の長さは、回転軸２４にある２つのローラ部２４Ｂの距離よりも長い。更に、第２のローラ３２の回転軸３２Ａは昇降板３３の後端側に取り付けられるが、昇降板３３に取り付けられた第１と第２のローラ３１，３２の間には、回転軸２４のローラ部２４Ｂが入るようなスペースを空けて回転軸３２Ａは昇降板３３に取り付けられる。
【００２４】
この実施例では、ハードディスク装置２の前端部に設けられた凹部３５の底面にばね穴３６があり、このばね穴３６に装着されたばね３４の上に昇降板３３が固着される。ばね穴３６は特に無くても良いものである。また、ばね３４の個数も特に限定されるものではない。ハードディスク装置２の前端部に設けられた凹部３５に回転軸の駆動機構３０が設けられた状態では、図７Ａに示すように第１のローラ３１と第２のローラ３２は凹部３５の外に突出している。また、第１のローラ３１又は第２のローラ３２に、凹部３５の底面方向に向かう外力が加わった場合には、昇降板３３はばね３４を圧縮して凹部３５内に没入し、図７Ｃに示すように、第２のローラ３２が凹部３５内に収納される。
【００２５】
図８Ａから図８Ｅは、以上のように構成された本出願の発熱装置の冷却装置に、発熱装置であるハードディスク装置２が挿入される時の各部の動作を、段階的に説明するものである。図８Ａには２つのクーリングプレート１０が示してあり、この２つのクーリングプレート１０の間にハードディスク装置２が挿入される場合について説明する。なお、説明を分かり易くするために、ハードディスク装置２の前端部にある凹部の図示は省略してある。また、回転軸のローラ部２４Ｂはフレーム２０の前端部に位置しているものとする。
【００２６】
ハードディスク装置２を２つのクーリングプレート１０の間に位置させると、まず、ハードディスク装置２にある回転軸の駆動機構３０の第１のローラ３１が、ローラ部２４Ｂに当接する。ローラ部２４Ｂの直径と第２のローラ３２の直径が同じであるので、第１のローラ３１の直径はローラ部２４Ｂの直径よりも小さい。従って、第１のローラ３１は、ローラ部２４Ｂの回転軸よりもフレーム２０から遠い位置でローラ部２４Ｂに当接することになる。このため、図８Ａに示す状態からハードディスク装置２が図８Ｂに示すようにクーリングプレート１０の間に挿入されると、ハードディスク装置２の挿入に伴って第１のローラ３１はローラ部２４Ｂを、回転軸の巻取部が押圧シート２３を巻き取る方向に回転させながら移動させる。この時、回転軸を軸支する前述のスライダも溝に沿って移動し、第１のローラ３１はローラ部２４Ｂの回転方向と逆方向に回転する。
【００２７】
図１０Ａは図８ＢのＸ部を部分的に拡大して示すものであり、ハードディスク装置２がクーリングプレート１０の間に押し込まれる際の、第１と第２のローラ３１，３２及びローラ部２４Ｂの回転方向を説明するものである。なお、説明を分かり易くするために、図１０Ａでは、ハードディスク装置２の左側にある第１と第２のローラ３１，３２及びローラ部２４Ｂの回転方向を示し、可撓性バッグ２１の外皮を太線で示し、押圧シート２３は破線で示してある。ハードディスク装置２が矢印ＦＷ方向に移動すると、左側の第１のローラ３１も矢印ＦＷ方向に移動すると共に、時計回りに回転してローラ部２４Ｂを反時計回りに回転させる。
【００２８】
ローラ部２４Ｂの反時計回りの回転により、押圧シート２３が回転軸の巻取部２４Ａに巻き取られ、押圧シート２３によって可撓性バッグ２１が押されて内部の冷却媒体が第１のローラ３１側に流れてくる。このとき、第２のローラ３２はフレーム２０に接しているので、ハードディスク装置２の矢印ＦＷ方向への移動によって、反時計方向に回転する。
【００２９】
ハードディスク装置２がクーリングプレート１０の間に挿入され続けると、やがてローラ部２４Ｂを軸支するスライダが溝の端部に達してこれ以上移動しなくなり、ローラ部２４Ｂの移動が止まる。この状態が図８Ｃに示されており、図８Ｃの状態におけるローラ部２４Ｂの位置が前述の図６Ｃに示した位置である。この状態では、ハードディスク装置２には更に挿入可能な挿入代が残っている。この状態から更にハードディスク装置２がクーリングプレート１０の間に更に挿入されると、図８Ｄに示すように、昇降板３３がハードディスク装置２の凹部内に移動し、この結果、第１のローラ３１がローラ部２４Ｂを乗り越える。
【００３０】
第１のローラ３１がローラ部２４Ｂを乗り越え終えると図８Ｅに示す状態になり、ローラ部２４Ｂが第１と第２のローラ３１，３２の間のスペースに収まり、昇降板３３が上昇する。図８Ｅに示す状態が、ハードディスク装置２のクーリングプレート１０の間への挿入が完了した状態である。昇降板３３は図７Ａから図７Ｃで説明したばねによってフレーム２０の方向に付勢されているので、この状態においてハードディスク装置２はクーリングプレート１０によって位置決めされる。図８Ｅの状態では、可撓性バッグ２１がハードディスク装置２の側面に密着しており、ハードディスク装置２で発生した熱を内部にある冷却媒体を循環させることにより冷却することができる。
【００３１】
図９Ａから図９Ｅは、本出願の発熱装置の冷却装置からハードディスク装置２を引き出す時の各部の動作を、段階的に説明するものである。図９Ａから図９Ｅには１つのクーリングプレート１０だけが示してあり、反対側のクーリングプレート１０の図示は省略してある。
【００３２】
図９Ａの状態からハードディスク装置２を引き出すと、第１と第２のローラ３１，３２は、図９Ｂに示すように、ローラ部２４Ｂを間に挟んだままハードディスク装置２と一緒に移動する。図１０Ｂは図９ＢのＹ部を部分的に拡大して示すものであり、ハードディスク装置２がクーリングプレート１０の間から引き出される際の、第１と第２のローラ３１，３２及びローラ部２４Ｂの回転方向を説明するものである。図１０Ｂでも可撓性バッグ２１の外皮を太線で示し、押圧シート２３は破線で示してある。ハードディスク装置２が矢印ＢＷ方向に移動すると、第２のローラ３２は時計回りに回転し、ハードディスク装置２と一緒に移動する第１のローラ３１はローラ部２４Ｂに接触し、直径の違いにより、ローラ部２４Ｂを時計回りに回転させる。第１のローラ３１自体はローラ部２４Ｂに接触しているので反時計回りに回転する。
【００３３】
ローラ部２４Ｂが時計回りに回転することにより、回転軸に巻き取られていた押圧シート２３が解かれる。この結果、可撓性バッグ２１の前方側の冷却媒体が可撓性バッグ２１の後方側に移動することができる。ハードディスク装置２がクーリングプレート１０から引き出され続けると、やがてローラ部２４Ｂを軸支するスライダが溝の前方側の端部に達してこれ以上移動しなくなり、ローラ部２４Ｂの移動が止まる。この状態が図９Ｃに示されており、図９Ｃの状態におけるローラ部２４Ｂの位置が前述の図６Ａに示した位置である。
【００３４】
この状態から更にハードディスク装置２がクーリングプレート１０から更に引き出されると、図９Ｄに示すように、昇降板３３がハードディスク装置２の凹部内に移動し、この結果、第１のローラ３１がローラ部２４Ｂを乗り越える。第１のローラ３１がローラ部２４Ｂを乗り越え終えると図９Ｅに示す状態になり、ハードディスク装置２がクーリングプレート１０から完全に引き出された状態となり、昇降板３３が上昇し、第１と第２のローラ３１，３２も元の位置に復帰する。
【００３５】
以上説明したように、本出願の発熱装置の冷却装置は、大容量記憶装置に多数装着されるハードディスク装置を活性交換することができる。なお、ハードディスク装置の未搭載部にはハードディスク装置と同形状のダミーを搭載すれば良い。本出願の発熱装置の冷却装置を採用することにより、大容量記憶装置において騒音を３ｄＢ，ブロワファンの消費電力を１５％低減することができた。
【００３６】
なお、以上説明した発熱装置の冷却装置は一例であり、発熱装置はハードディスク装置でなくても良い。例えば、発熱装置はブレード型サーバーであっても良い。また、冷却媒体としては、水やクーラントを使用すれば良い。
【図１Ａ】
2013140531.tif 000003
【図１Ｂ】
2013140531.tif 000004
【図１Ｃ】
2013140531.tif 000005
【図２Ａ】
2013140531.tif 000006
【図２Ｂ】
2013140531.tif 000007
【図２Ｃ】
2013140531.tif 000008
【図３】
2013140531.tif 000009
【図４Ａ】
2013140531.tif 000010
【図４Ｂ】
2013140531.tif 000011
【図４Ｃ】
2013140531.tif 000012
【図４Ｄ】
2013140531.tif 000013
【図５】
2013140531.tif 000014
【図６Ａ】
2013140531.tif 000015
【図６Ｂ】
2013140531.tif 000016
【図６Ｃ】
2013140531.tif 000017
【図７Ａ】
2013140531.tif 000018
【図７Ｂ】
2013140531.tif 000019
【図７Ｃ】
2013140531.tif 000020
【図８Ａ】
2013140531.tif 000021
【図８Ｂ】
2013140531.tif 000022
【図８Ｃ】
2013140531.tif 000023
【図８Ｄ】
2013140531.tif 000024
【図８Ｅ】
2013140531.tif 000025
【図９Ａ】
2013140531.tif 000026
【図９Ｂ】
2013140531.tif 000027
【図９Ｃ】
2013140531.tif 000028
【図９Ｄ】
2013140531.tif 000029
【図９Ｅ】
2013140531.tif 000030
【図１０Ａ】
2013140531.tif 000031
【図１０Ｂ】
2013140531.tif 000032
【国際調査報告】
2013140531.tif 000033
2013140531.tif 000034
2013140531.tif 000035
2013140531.tif 000036